(57)【要約】    【課題】廉価に製造でき、誰でも容易に組立て陳列でき、内部に空気の清浄に役立つ植物を収納できる店頭に載置可能な植物栽培用紙製広告媒体を提供する。  【解決手段】耐水性加工が施されている薄手シートからなる矩形上の短冊の底線６に沿って二つ折り畳み可能にして所定の長さの前片２と後片３とを備え、前記後片の先端部を延長して蓋片４を形成し、前記底線６に沿って折り畳んで前記前片２と前記後片３との両側縁２a,３aの内側を熱溶着した後、前記前片２の収納部７内に植物栽培用種子、土壌を収納し、前記蓋片４を折り曲げて収納部７内に折り込んで厚みの薄い扁平容器とし、前記前片２および/または前記後片３に広告印刷を施してある構成である。【選択図】              図１ 
0003111970.tif 000002
【実用新案登録請求の範囲】
【請求項１】
耐水性加工が施されている薄手シートからなる矩形上の短冊の底線に沿って二つ折り畳み可能にして所定の長さの前片と後片とを備え、前記後片の先端部を延長して蓋片を形成し、前記底線に沿って折り畳んで前記前片と前記後片との両側縁の内側を熱溶着した後、前記前片の内部に植物栽培用種子、土壌を収納し、前記蓋片を折り曲げて厚みの薄い扁平容器とし、前記前片および/または前記後片の表面に広告印刷を施してあることを特徴とする植物栽培用紙製広告媒体。
【請求項２】
耐水性加工が施されている薄手シートからなる矩形状の短冊の底線に沿って二つ折り畳み可能にして所定の長さの前片とこの前片より長い後片とを備え、前記後片の先端部を延長して蓋片を形成し、前記底線に沿って折り畳んで前記前片と前記後片との両側縁の内側を熱溶着した後、前記前片の内部に植物栽培用種子、土壌を収納し、前記蓋片を折り曲げ、この蓋片の先端脚部を前記前片の内部に挿入して厚みの薄い扁平容器とし、前記前片および/または前記後片の表面に広告印刷を施してあることを特徴とする植物栽培用紙製広告媒体。
【請求項３】
耐水性加工が施されている薄手シートからなる矩形状の短冊の底線に沿って二つ折り畳み可能にして所定の長さの前片とこの前片より長い後片とを備え、前記後片の先端部を延長して蓋片を形成し、この蓋片の両側端に前記後片の挿入切り目に嵌挿する係合突起を設け、前記底線に沿って折り畳んで前記前片と前記後片との両側縁の内側を熱溶着した後、前記前片の内部に植物栽培用種子、土壌を収納し、前記蓋片を折り曲げ、この蓋片の先端脚部を前記前片の内部に挿入して厚みの薄い扁平容器とし、前記前片および/または前記後片の表面に広告印刷を施してあり、前記蓋片を前記前片の内部より取り出し、広げて後側に折り曲げて開き、前記蓋片の両側係合突起を前記後片の挿入切り目に挿入して前記蓋片の先端を脚部としたことを特徴とする植物栽培用紙製広告媒体。
【請求項４】
耐水性加工が施されている薄手シートからなる矩形状の短冊の底線に沿って二つ折り畳み可能にして所定の長さの前片と後片とを備え、前記後片または前記前片の先端部を延長して蓋片を設けると共に両側縁に連接して張出して係合脚片を設け、前記前片を折り畳み、前記前片と前記後片の両側縁を熱溶着して収納部を形成し、両側に張出した前記係合脚片を後側に折り曲げ、その先端部を係合させて脚部を形成することを特徴とする植物栽培用紙製広告媒体。
【請求項５】
前記前片と前記後片との間に形成される収納部に収納する土壌が、ベントナイト皮膜を備えたピートモス培養土であることを特徴とする請求項１乃至請求項４に記載のいずれか１つである植物栽培用紙製広告媒体。
【考案の詳細な説明】
【技術分野】
【０００１】
この考案は、耐水製に優れた紙シートを組み立てて形成した植物栽培用紙製広告媒体に関する。
【背景技術】
【０００２】
街頭などで歩行者に配っているチラシ、小物などに広告を掲載した印刷物が広告媒体として多く配布されている。一般には広告印刷が施された紙シートを内装したポリエステルフィルムなどの合成樹脂フィルムが多く使用されている。これら配布されているものは、卓上などには陳列出来るものではなかった。
このような街頭や店頭で配布する景品や広告媒体として配布可能な植物栽培用組立て式容器として、防水加工が施された一枚の板材を家屋型に組立て、底部に連接する正面、背面側壁と左右側壁とを起立させ、各側壁の連接部分はコーナーフラップを設けるとともに差込片を備えた構成である実開昭６０−１６２４３４号公報が知られている。これを改善し、嵩張らないように薄くして運送に便利なようにした植物栽培用の容器としては特開平１１−３３２３８７号公報に記載され、防水性の袋状の容器を板状に折り畳み、内部に植物の種子などを充填して、販売促進用の景品に使用するものが知られている。
また、扁平な包装容器としては板紙を製函加工し、底部の組み立てが簡易なものとして実開昭６３−４０３１８号公報が知られている。
【０００３】
【特許文献１】実開昭６０−１６２４３４号公報図面
【特許文献２】特開平１１−３３２３８７号公報要約
【特許文献３】実開昭６３−４０３１８号公報図面
【０００４】
また、特許文献１は、一枚の板材を家屋型に組立てたもので、底部に連接する正面、背面側壁と左右側壁とのコーナーフラップの構成が折込みになっており、その上側に差込溝が形成されているため、内部の水などの液体が漏出する恐れがある。更に、家屋型に組み立てるので運送が面倒であった。前記特許文献２は、封筒状に形成され、陳列や、卓上に据え置きできないもので、この封筒状容器から取り出した種子含有吸水材を有機土壌などに散布して使用するものである。特許文献３に記載の紙容器は正面部片の両側に張出した背面形成部片を筒状に形成し、筒状に形成した後、底部を折り合わせて形成したもので、液状物の包装には適しないものである、
【０００５】
前記特許文献の他に特開２００２−２２３６４２号公報に植物栽培容器として正方形などの立体的に組立て可能な防水性材料から作られものが知られているが、紙製鉢を形成するもので、箱状に形成してあり、卓上の空間スペースを広く必要としている。
【考案の開示】
【考案が解決しようとする課題】
【０００６】
本考案は、従来の種々の問題点を解決すもので、廉価に製造でき、組み立てた後はそのまま空間スペースをとることなく、卓上に載置でき、かつ縁側などに吊り下げることができる植物栽培用紙製広告媒体を提供する。
本考案の課題は、広告宣伝の文字絵柄が環境汚染防止に役立つ商品などの宣伝に適した植物栽培用紙製広告媒体を提供することである。
本考案の他の課題は、廉価に製造でき、誰でも容易に組立て陳列でき、炭酸ガスの吸収に役立ち、店頭に載置可能な植物栽培用紙製広告媒体を提供することである。
本考案の課題は、印刷が容易な紙製によって形成し、誰でも容易に組立てができる植物栽培用紙製広告媒体を提供することである。
【課題を解決するための手段】
【０００７】
本考案は、前記課題を達成するために以下の構成にした。
耐水性加工が施されている薄手シートからなる矩形上の短冊の底線に沿って二つ折り畳み可能にして所定の長さの前片と後片とを備え、前記後片の先端部を延長して蓋片を形成し、前記底線に沿って折り畳んで前記前片と前記後片との両側縁の内側を熱溶着した後、前記前片の内部に植物栽培用種子、土壌を収納し、前記蓋片を折り曲げて厚みの薄い扁平容器とし、前記前片および/または前記後片の表面に広告印刷を施してある植物栽培用紙製広告媒体の構成である。
【０００８】
本考案の前記課題は、耐水性加工が施されている薄手シートからなる矩形状の短冊の底線に沿って二つ折り畳み可能にして所定の長さの前片とこの前片より長い後片とを備え、前記後片の先端部を延長して蓋片を形成し、前記底線に沿って折り畳んで前記前片と前記後片との両側縁の内側を熱溶着した後、前記前片の内部に植物栽培用種子、土壌を収納し、前記蓋片を折り曲げ、この蓋片の先端脚部を前記前片の内部に挿入して厚みの薄い扁平容器とし、前記前片および/または前記後片の表面に広告印刷を施した構成によって達成できる。
【０００９】
本考案の課題は、耐水性加工が施されている薄手シートからなる矩形状の短冊の底線に沿って二つ折り畳み可能にして所定の長さの前片とこの前片より長い後片とを備え、前記後片の先端部を延長して蓋片を形成し、この蓋片の両側端に前記後片の挿入切り目に嵌挿する係合突起を設け、前記底線に沿って折り畳んで前記前片と前記後片との両側縁の内側を熱溶着した後、前記前片の内部に植物栽培用種子、土壌を収納し、前記蓋片を折り曲げ、この蓋片の先端脚部を前記前片の内部に挿入して厚みの薄い扁平容器とし、前記前片および/または前記後片の表面に広告印刷を施してあり、前記蓋片を取り出し、後側に折り曲げて開き、前記蓋片の両側係合突起を前記後片の挿入切り目に挿入して脚部とした構成によって達成できる。
【００１０】
本考案の課題は、耐水性加工が施されている薄手シートからなる矩形状の短冊の底線に沿って二つ折り畳み可能にして所定の長さの前片と後片とを備え、前記後片または前記前片の先端部を延長して蓋片を設けると共に両側縁に連接して張出して係合脚片を設け、前記前片を折り畳み、前記前片と前記後片の両側縁を熱溶着して収納部を形成し、両側に張出した前記係合脚片を折り曲げ先端部を係合させ脚部を形成する構成によって達成できる。
【００１１】
本考案に使用できる紙基材である薄手シートとしては従来牛乳パックなどに使用されている耐水性、耐屈曲性、剛性を備えるもので、純白ロール紙、クラフト紙、板紙、加工紙などが使用できる。ま、これらの再生紙が使用できる。これら紙基材の内表面に合成樹脂などが被覆されているものが好ましい。
この表面には文字、図形、記号、絵柄、模様などの所望の印刷絵柄を通常の方法、オフセット印刷、グラビア印刷、凸版印刷、シルクスクリーン印刷、転写印刷、その他などによって印刷することができる。使用する印刷インキは通常のものが使用できる。
【００１２】
前記薄手シートの紙基材の表面に被覆する合成樹脂としては、熱によって溶融し、相互に融着する熱溶着性の樹脂が使用できる。例えば、低、中、高密度ポリエチレン、ポリプロピレン、エチレン−酢酸ビニール共重合体、エチレン−アクリル共重合体、メチルペテンポリマー、ポリオレフィン系樹脂を不飽和カルボン酸で変性した酸変性ポリオレフィン樹脂など通常使用できる樹脂が被覆されている。これらの樹脂膜は５〜３００μｍ厚さぐらいで塗布されている。
これら樹脂膜に無機質の蒸着膜を有する樹脂フィルムも使用できる。
本考案に使用できる紙基材として、紙基材を積層して積層材を使用できる。また、生分解性プラスチックのシート材で形成しても良い。微生物生産樹脂系、天然物由来系、化学合成系などの材質で形成することもできる。
【００１３】
本考案の紙製広告媒体の中身に充填するものとして、水を吸収して膨張する吸収材が用いられる。また、人工培土や焼成培養土を使用することができる。
特に、最近植物栽培に好適な土壌としてベントナイト加工処理したピートモス培養土が好ましい。市販品では「ウエルディナイト」（株式会社ウエルディの商品名）が良く、これは砂漠地帯の緑地化や火山灰被害地の緑地化に好適であり、少量の水分で数日間植物の育成が可能である。
この土壌については特許第３３８９０１７号「ピートモスを利用した培養土及びその製造方法並びに育苗用苗マット」に記載されている。
【考案の効果】
【００１４】
本考案の植物栽培用紙製広告媒体は、一枚の防水性の薄手シート（板紙）から成型装置によって罫線を付けて型紙を簡易に製造でき、それを輪郭に応じて裁断し、組立て熱溶着して仕上げることができるので廉価に製造できる。特に、街頭や店頭で配布できるコスト、大きさであるから金融機関などに設置して非常に効果がある。広告媒体としても印刷が容易にでき、スペースをとらず、植物を栽培できるから室内に配置して空気の環境浄化に役立つものである。
【００１５】
更に、表面の印刷が簡易にできるばかりでなく、内部からの水漏を長期間完全に防止することができる。
本考案の植物栽培用紙製広告媒体は、狭い空間に配置することができるばかりでなく、携帯に便利であり、扁平容器であるから雑誌などの付録としても使用ができる。またポケット内に収納して携帯に便利であるから街頭などで配布するのチラシと同様にして配ることができる。
【考案を実施するための最良の形態】
【００１６】
以下、本考案に係る植物栽培用紙製広告媒体の実施の形態について図面を参照して詳述する。
図１は本考案に係る植物栽培用紙製広告媒体の第１の実施形態の組立後の斜視図である。図２は図１の側面図である。図３は図１の正面図である。図４は図１の裏面図である。図５は本考案に係る植物栽培用広告媒体の第１の実施形態の展開図である。図６は図５の型紙の平面図である。図７は本考案の植物栽培用広告媒体の携帯（折畳）状態の斜視図、図８〜図１１は本考案に係る他の実施形態の展開図である。
【００１７】
本考案の植物栽培用紙製広告媒体は、図１の斜視図、図５の展開図及び図１１の展開図に示すように前片２、後片３、蓋片４、脚部４ａが連接した一枚の防水性板紙からなる本体１に折れ線を形成する罫線Ｋが複数本型造してある。この本体１は表面が防水性で、熱溶着性の合成樹脂加工された紙から構成されている。
この本体１の表面に商品名、商標名、製造業者、販売業者に係る文字、図形、記号、絵柄などからなる印刷画像を印刷する。特に、環境浄化に関連する絵柄などの広告記事を印刷すると収納部の植物との関連で非常に好ましい。
【００１８】
本体１の型紙を製造するときに型造りする折り畳み用の罫線Ｋは前片２と後片３との境界（底線６）、後片３と蓋片４との境界及び蓋片４の脚部４ａに形成されている。また、底線６の近傍には菱形状の罫線Ｋが形成されている。この罫線Ｋに沿って折りこむことにより、これによって膨らみのある広告媒体となり、卓上などに配置することができ、植物の栽培に適する形状になる。
【００１９】
前記後片３の上端付近に蓋片４の両側端に突設した係合突起４ｂを挿入する挿入切り目５,５が設けられている（図１１においては抜け穴５a）。この後片３には吊り下げ用の穿孔７(指などで簡単に抜ける穴)が穿ってある。前記前片２を底線６に沿って折り曲げ、前記前片２の両側縁２ａ，２ａを後片３の側縁３ａ，３ａに重ねて熱溶着して収納部７を形成する。
【００２０】
この収納部７内に種子や土壌を入れて、蓋片４を前側に折りまげ、脚部４ａを収納部７内に押し込んで扁平な包装容器を形成する。中央ラインに縦罫線が形成されているから収納部７は膨らみが形成されるようになっている。このように扁平に形成されるので、嵩張ることなく、携帯運送が楽にできる。
【００２１】
本考案の植物栽培用紙製広告媒体の他の実施形態について説明する。
図８に示される第２の実施の形態は、前片２、後片３及び蓋片４を連接する板紙の本体１の後片３の両側に張出した脚片８,８が突設してある。この脚片８の端部に係合突起９ａ，９ａがあり、他方の脚片８には前記係合突起９ａ，９ａを嵌合する係合孔９ｂ穿ってある。
このような本体１を組み立てるには前片２を底線６に沿って折り曲げ、後片３に重ねて両側縁を熱溶着して収納部を形成する。収納部に種子、土壌塊を入れて、脚片８,８を前片２の前面に重ねるように折り曲げ、蓋片４をその上に重ねて収納部に差し込んで扁平容器を形成する。
【００２２】
このように形成した広告媒体は、蓋片４を収納部から引き出し、裏面側に折り曲げるとともに脚片８,８を裏面側に折り曲げて係合突起９ａ，9ａを係合孔９ｂに嵌合して脚を形成する。全体を傾斜させて卓上に載置可能とする。
【００２３】
図９に示す第３の実施の形態は、前片２の両側に張出した脚片８,８の上端に差込突片１１を備えるとともにこの前片２に延長しても受けた蓋片４は切取り線１０が施してあり、この蓋片４の先端には係合部が連接してある。
後片３を底線６に沿って裏側に折込んで両側縁を熱溶着し、収納部に種子、土壌を収納した後、脚片８,８を裏側に折り込んで蓋片４の先端部を折り曲げて収納部に押し込んで扁平容器を形成する。
内部を開放するときは、蓋片４を切取り線１０から切り離し、先端部の係合溝１１a,１１aに前記差込突片１１を差し込んで脚を形成する。
【００２４】
図１０に示す第４の実施の形態は、後片３を後側に折り込んで両側縁を熱溶着して収納部を形成し、内部に種子、土壌を収納し、脚片８,８を後側に折り込み重ねて蓋片４を後側に折り曲げ、蓋片４の舌片の隅部を脚片８,８の挿入溝１２,１２に嵌挿して収納部を閉成して扁平容器とする。
内部を取り出すときは脚片８,８の挿入溝１２,１２から蓋片４の舌片を隅部を引き抜き、蓋片４を切取り線１０から切り離し除去する。次に、脚片８,８の係合突起９ａ,９ａを係合孔９ｂに嵌合して脚を形成して立て置き可能とする。
【００２５】
図１１の第５の実施形態においては、蓋片４の両側に突出する係合突起４ｂは型紙では蓋片４の縁辺として一体的に形成してあるが、周辺を切り落として係合突起４ｂを形成する。挿入切り目５に相当する挿入穴５ａや穿孔７は打ち抜いて簡易に形成することができ、蓋片４にも吊り下げ穿孔７ａを形成することにより丈夫に吊り下げられる。蓋片４の両側の罫線Ｋを形成してあるから簡易に蓋片４から細い脚部４ａを作ることができ、係合突起４ｂ挿入穴５ａに嵌入させることが出来る。
【図面の簡単な説明】
【００２６】
【図１】本考案に係る植物栽培用紙製広告媒体の第１の実施形態の組立後の斜視図である。
【図２】図１の側面図である。
【図３】図１の正面図である。
【図４】図１の裏面図である。
【図５】本考案に係る植物栽培用広告媒体の第１の実施形態の展開図である。
【図６】図５の型紙の平面図である。
【図７】本考案の植物栽培用広告媒体の携帯（折畳）状態の斜視図である。（a）正面図(b)  裏面図
【図８】本考案に係る第２の実施の形態の展開図である。
【図９】本考案に係る第３の実施の形態の展開図である。
【図１０】本考案に係る第４の実施の形態の展開図である。
【図１１】本考案の植物栽培用紙製広告媒体の第５の実施の形態の展開図である。
【符号の説明】
【００２７】
１      本体
２      前片
２a    側縁
３      後片
４      蓋片
５      挿入切り目
６      底線
７      穿孔
８      張出片
９      脚片
１０    切取り線
１１    差込突片
【図１】
0003111970.tif 000003
【図２】
0003111970.tif 000004
【図３】
0003111970.tif 000005
【図４】
0003111970.tif 000006
【図５】
0003111970.tif 000007
【図６】
0003111970.tif 000008
【図７】
0003111970.tif 000009
【図８】
0003111970.tif 000010
【図９】
0003111970.tif 000011
【図１０】
0003111970.tif 000012
【図１１】
0003111970.tif 000013